(57)【要約】  フレームから形成される歯肉鎮痛部に接続される楯状部を有するおしゃぶり装置が開示されている。前記フレームは、使用している時に、乳幼児の歯肉に押し付けるよう、唇の下に位置するよう構成される。更に、前記フレームは、前記歯肉にマッサージ効果をもたらすように乳幼児の歯肉に合うように形づくられている。
2013528097.tif 000002
【特許請求の範囲】
【請求項１】
使用している時に、乳幼児の歯肉に押し付けるよう、唇の下に位置するよう構成されるフレームから形成される歯肉鎮痛部に接続される楯状部を有するおしゃぶり装置であって、前記フレームが、前記歯肉にマッサージ効果をもたらすように乳幼児の歯肉に合うように形づくられており、前記フレームが管の形をしているおしゃぶり装置。 
【請求項２】
前記フレームが中空である請求項１に記載の装置。
【請求項３】
更なる鎮痛効果を与えるために、使用する前に冷やされるガス又は流体が、前記中空のフレームに充填される請求項２に記載の装置。
【請求項４】
前記フレームが中空ではない請求項１に記載の装置。
【請求項５】
前記フレームが、使用している時に上側又は下側歯列弓の歯肉に合う部分を有する請求項１に記載の装置。
【請求項６】
前記フレームが、連続しており、上側歯列弓の歯肉に合う上部と、下側歯列弓の歯肉に合う下部とを有し、前記上部と前記下部とが、中間部を介して接続されている請求項１に記載の装置。
【請求項７】
前記フレームが、コネクタによって前記楯状部に接続される内部構造を囲む請求項１に記載の装置。
【請求項８】
前記内部構造が、プレートであって、前記フレームが、前記プレートの周囲に配置されるようなプレートである請求項７に記載の装置。
【請求項９】
前記内部構造が、乳頭状突起であって、前記乳頭状突起に加えられる動きが、前記マッサージ効果を増すように前記フレームに伝えられるような乳頭状突起を備えるよう形成される請求項７又は８に記載の装置。
【発明の詳細な説明】
【技術分野】
【０００１】
乳児及び幼児は、歯生期には痛みで苦しむ。乳児は、痛みを軽減するために乳幼児用おしゃぶりを噛むことができ、前記乳幼児用おしゃぶりは、噛む動作を活性化させることによって、痛みを和らげる。様々なタイプの乳幼児用おしゃぶりがあり、例えば、幾つかの乳幼児用おしゃぶりは、玩具又はリングの形をしている。しかしながら、これらに関する明らかな問題は、それらが、それらの形状のために、乳児の口の中にとどまらないことである。これを解決するため、乳児用おしゃぶりに似ている乳幼児用おしゃぶりがある。
【背景技術】
【０００２】
例えば、US20050119699は、楯状部に取り付けられた弓形部を有する乳幼児用おしゃぶりを開示している。弓形部は、噛んでいる間、歯肉領域であって、前記歯肉領域を通って歯が萌出する歯肉領域と係合するように、乳児の歯列弓間に配置される。楯状部は、乳児が誤って乳幼児用おしゃぶりを飲み込むのを防止する。US20050119699に開示されている乳幼児用おしゃぶりは、痛みを更に減らすために、乳児の歯肉にマッサージ効果を与えるように振動機能を有する。歯生期の歯肉のマッサージは、痛みをかなり軽減することが知られている。しかしながら、開示されている乳幼児用おしゃぶりの不利な点は、振動させ、歯肉をマッサージするためにバッテリの形態の電源を必要とすることである。
【０００３】
他の方法は、痛みを減らすために、親が、前記親の指を用いて乳児の歯肉を優しくマッサージすることを必要とするが、これは、実行可能な長期の解決策ではない。それ故、乳幼児の口の中にとどまるよう構成され、歯肉へのマッサージ効果も与える乳幼児用おしゃぶりを供給したいという要求がある。
【発明の概要】
【発明が解決しようとする課題】
【０００４】
本発明は、歯の発生に伴う諸現象を軽減するための装置であって、上記の問題を解決する又は実質的に軽減する装置を提供しようとするものである。
【課題を解決するための手段】
【０００５】
本発明によれば、使用している時に、乳幼児の歯肉に押し付けるよう、唇の下に位置するよう構成されるフレームから形成される歯肉鎮痛部に接続される楯状部を有するおしゃぶり装置であって、前記フレームが、前記歯肉にマッサージ効果をもたらすように乳幼児の歯肉に合うように形づくられており、前記フレームが管の形をしているおしゃぶり装置が提供される。
【０００６】
好ましくは、前記フレームは、使用している時に、上側又は下側歯列弓の歯肉に合う部分を有する。
【０００７】
或る実施例においては、前記フレームは、連続しており、上側歯列弓の歯肉に合う上部と、下側歯列弓の歯肉に合う下部とを有し、前記上部と前記下部とが、中間部を介して接続されている。
【０００８】
他の実施例においては、前記フレームは、コネクタによって前記楯状部に接続される内部構造を囲む。前記内部構造は、プレートであって、前記フレームが、前記プレートの周囲に配置されるようなプレートであり得る。
【０００９】
好都合なことには、前記内部構造は、乳頭状突起であって、前記乳頭状突起に加えられる動きが、前記マッサージ効果を増すように前記フレームに伝えられるような乳頭状突起を備えるよう形成される。
【００１０】
前記フレームは、中空でなくてもよく、又は中空であってもよい。
【００１１】
中空のフレームの場合には、更なる鎮痛効果を与えるために、使用する前に冷やされ得るガス又は流体が、前記フレームに充填され得る。
【００１２】
ここで、添付の図面を参照して、ほんの一例として、本発明の実施例を記載する。
【図面の簡単な説明】
【００１３】
【図１】本発明による装置であって、歯肉鎮痛部を備えるよう形成されている装置の斜視図を示す。
【図２】本発明による別の実施例であって、前記装置が、乳頭状突起と組み合わされた歯肉鎮痛部を持つ別の実施例の斜視図を示す。
【発明を実施するための形態】
【００１４】
ここで、図面を参照すると、図１には、乳幼児の、歯が生えることに起因する痛みを和らげるための装置が示されている。装置１は、歯肉にマッサージ効果を与えるように、唇の下に、歯肉に押し付けて配置されるよう構成される歯肉鎮痛部３に接続される楯状部２を有する。
【００１５】
図１に図示されているように、楯状部２は、使用している時の乳幼児の口の輪郭に沿うように湾曲している。楯状部２の主な機能は、装置１が飲み込まれるのを防止し、歯肉鎮痛部３を適所に保つことである。図１から理解され得るように、歯肉鎮痛部３は、乳幼児の歯肉線の輪郭に沿う管状構造の連続フレーム４を有する。フレーム４は、中間部７によって接続される上部５及び下部６を持つ。前記装置が使用中である時、上部５及び下部６は、それらが歯肉と係合するように、歯肉線の上に配置され、唇の下で歯列弓の外面に沿う。歯肉鎮痛部３は、好ましくは、シリコン又は熱可塑性エラストマー（ＴＰＥ）から作成される。
【００１６】
歯肉鎮痛部３は、楯状部２の内面９から延在し、歯肉鎮痛部３に向けて上方へ湾曲するコネクタ８によって楯状部２に接続される。コネクタ８は、歯肉鎮痛部３と楯状部２との間に空間を作り、それは、使用している時に、歯肉鎮痛部３が常に唇の下で歯肉にぶつかるように、唇の前部が歯肉鎮痛部３の上に落ちることを可能にするように、湾曲している。他の例においては、コネクタ８は、楯状部２と歯肉鎮痛部３の下部６との間に延在し得ることは理解されるだろう。その場合、装置１は、２つのコネクタ、即ち、上部５のための或るコネクタと、下部６のための別のコネクタとを具備してもよく、それによって、中間部７を不要にし得る。この実施例においては、フレームは、不連続であってもよく、装置は、例えば、上部及び／又は下部しか具備しなくてもよい。
【００１７】
装置１が上記のように乳幼児の口の中に配置される時、フレーム４それ自体の嵌合、及び／又はフレーム４に加えられる唇の圧力によって、外側歯肉領域に優しい圧力が加えられる。口及び唇の動きは、前記優しい圧力との組み合わせにおいて、歯肉鎮痛部３又はフレーム４を、それが接触する歯肉領域と、マッサージ効果を与えるように係合させる。歯肉のマッサージは、神経系を刺激し、生歯に関連する痛みを軽減し、鎮静させるだろう。
【００１８】
図１に関して記載した実施例においては、フレーム４は、中空ではない管状の構造のものである。しかしながら、図示されていない別の実施例においては、フレームは、中空で、空気が充填されている。他の例においては、使用する前に、装置を、冷却空間、例えば、冷蔵庫内に入れておくことによって、冷やされ得るゲル又は流体が、中空のフレームに充填され得る。歯肉に対する冷却感は、更なる鎮痛効果を与えるだろう。
【００１９】
図２には、他の実施例が示されており、前記他の実施例においては、装置２０が、歯肉鎮痛部２２及び乳頭状突起２３に接続される楯状部２１を有する。図１に関して記載した実施例と同様に、楯状部２１は、乳幼児の口の輪郭に沿うように湾曲している。歯肉鎮痛部２２は、楯状部２１にコネクタ２４を介して接続され、図２から理解され得るように、歯肉鎮痛部２２は、プレート２６の形態の内部構造を囲む管状構造を持つ連続フレーム２５を有する。プレート２６は、乳頭状突起２３を更に具備する。
【００２０】
フレーム２５及びプレート２６は、歯列弓の湾曲に沿うように湾曲している。使用している時、フレーム２５は、外側歯肉領域と係合するように、唇の下で、歯列弓の前側壁部に押し付けるよう、歯肉線の上に配置される。フレーム２５に加えられる唇の圧力は、外側歯肉領域に加えられる優しい圧力をもたらす。乳幼児は、乳頭状突起２３を吸うので、歯肉に更なる圧力が加えられ、乳頭状突起２３のあらゆる動きが、歯肉にマッサージ効果を与えるようにフレーム２５に伝えられる。歯肉のマッサージは、神経系を刺激し、生歯に関連する痛みを軽減し、鎮静させるだろう。
【００２１】
図示されていない他の実施例においては、装置は、図２に関して記載されているように、楯状部２１及び歯肉鎮痛部２２を含むが、乳頭状突起２３は含まないので、乳頭状突起２３は必須でないことは理解されるだろう。この実施例においては、口及び唇の動きが、フレーム２５のマッサージ効果を歯肉に与える。
【００２２】
図２に関して記載されている装置２０が、中空でない又は中空のフレーム２５を含み得ることも考えられる。中空のフレームの場合には、それには、ガス、ゲル又は流体が充填され得る。ゲル又は流体は、使用する前に、装置を、冷却空間、例えば、冷蔵庫内に入れておくことによって、冷やされ得る。歯肉に対する冷却感は、更なる鎮痛効果を与えるだろう。
【００２３】
部分的に構成されるフレームも本発明の範囲内にあるので、フレームが、プレートのまわりに連続的に形成される必要はないことも理解されたい。更に、プレートは、他の構造に置き換えられてもよく、例えば、図２に関して記載されている装置は、フレームとコネクタとの間に延在するバー又は部分的なプレートで形成され得る。
【００２４】
上記の実施例は、より容易に、装置を、乳児の口に挿入し、乳児の口から取り除くために、図２に示されているように、取っ手２７を更に具備してもよい。
【００２５】
本発明の実施例を、図示し、記載したが、当業者には、上記の記載は、単なる好ましい実施例の記載にすぎないとみなされるべきであり、添付の請求項の範囲内にある他の実施例もこの開示の一部を形成するとみなされるべきであることは理解されるだろう。
【図１】
2013528097.tif 000003
【図２】
2013528097.tif 000004
【国際調査報告】
2013528097.tif 000005
2013528097.tif 000006